(57)【要約】【課題】バイオリズムにおける２３日周期のＰリズム、２８日周期のＳのリズム、３３日周期のＩリズムにさらに、これらを反転させた反転リズムを加味したバイオリズム診断を可能とする。【解決手段】バイオリズム表示装置に、生年月日から対象日までの経過日数に基づき、経過日数／２３の剰余＋１をＰ値として算出するＰ値算出部と、経過日数／２８の剰余＋１をＳ値として算出するＳ値算出部と、経過日数／３３の剰余＋１をＩ値として算出するＩ値算出部と、Ｐ値が１２未満の場合Ｐ値+１２を、Ｐ値が１３以上の場合Ｐ値−１２を、Ｐ値が１２の場合２３をＰ値の反転値とするＰ反転値算出部と、Ｓ値が１４以下の場合Ｓ値+１４を、Ｓ値が１５以上の場合Ｓ値−１４をＳ値を反転値とするＳ反転値算出部と、Ｉ値が１７未満の場合Ｉ値＋１７を、Ｉ値が１８以上の場合Ｉ値−１７を、Ｉ値が１７の場合３３をＩ値の反転値とするＩ反転値算出部とを設ける。【選択図】  図１
2016122267.tif 000002
【特許請求の範囲】
【請求項１】
対象者の生年月日の入力を受け付ける生年月日受付手段と、
評価する日付である対象日の入力を受け付ける対象日受付手段と
生年月日から対象日までの経過日数を算出する経過日数算出手段と、
経過日数を２３で割り、余りが出た場合は余りの日数に１を足した値を、余りが出ない場合は１をＰ値として算出するＰ値算出部と、
経過日数を２８で割り、余りた出た場合は余りの日数に１を足した値を、余りが出ない場合は１をＳ値として算出するＳ値算出部と、
経過日数を３３で割り、余りが出た場合は余りの日数に１を足した値を、余りが出ない場合は１をＩ値として算出するＩ値算出部と、
Ｐ値が１２未満の場合、Ｐ値に１２を足した値をＰ値の反転値とし、Ｐ値が１３以上の場合、
Ｐ値から１２を引いた値をＰ値の反転値とし、Ｐ値が１２の場合２３をＰ値の反転値とするＰ反転値算出部と、
Ｓ値が１４以下の場合、Ｓ値に１４を足した値をＳ値の反転値とし、Ｓ値が１５以上の場合、Ｓ値から１４を引いた値をＳ値の反転値とするＳ反転値算出部と、
Ｉ値が１７未満の場合、Ｉ値に１７を足した値をＩ値の反転値とし、Ｉ値が１８以上の場合、Ｉ値から１７を引いた値をＩ値の反転値とし、Ｉ値が１７の場合３３をＩ値の反転値とするＩ反転値算出部と
を有するバイオリズム表示装置。
【請求項２】
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、
Ｐ値の反転値が５以下の場合はＰ値の反転値を、Ｐ値の反転値が６以上１８以下の場合は１２からＰ値の反転値を引いた値を、Ｐ値の反転値が１９以上の場合は、Ｐ値の反転値から２３を引いた値をＰ値の反転値の離れ値として算出し、
Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、
Ｉ値の反転値が８以下の場合はＩ値の反転値を、Ｉ値の反転値が９以上２５以下の場合は１７からＩ値の反転値を引いた値を、Ｉ値の反転値が２６以上の場合はＩ値の反転値から３３を引いた値をＩ値の反転値の離れ値として算出し、
Ｐ値とＰ値の反転値とのいずれか一方と、Ｉ値とＩ値の反転値とのいずれか一方とからなる４つの組み合わせ、及び、Ｐ値の離れ値とＰ値の反転値の離れ値とのいずれか一方と、Ｉ値の離れ値とＩ値の反転値の離れ値とのいずれか一方とからなる４つの組み合わせに関して和及び差の絶対値を算出し、このなかから５に最も近いものを指標として算出する指標算出部と、
前記指標算出部により算出された指標を表示させる指標表示部と
を有する請求項１に記載のバイオリズム表示装置。
【請求項３】
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、
Ｐ値の反転値が５以下の場合はＰ値の反転値を、Ｐ値の反転値が６以上１８以下の場合は１２からＰ値の反転値を引いた値を、Ｐ値の反転値が１９以上の場合は、Ｐ値の反転値から２３を引いた値をＰ値の反転値の離れ値として算出し、
Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、
Ｉ値の反転値が８以下の場合はＩ値の反転値を、Ｉ値の反転値が９以上２５以下の場合は１７からＩ値の反転値を引いた値を、Ｉ値の反転値が２６以上の場合はＩ値の反転値から３３を引いた値をＩ値の反転値の離れ値として算出し、
Ｐ値とＰ値の反転値とのいずれか一方と、Ｉ値とＩ値の反転値とのいずれか一方とからなる４つの組み合わせ、及び、Ｐ値の離れ値とＰ値の反転値の離れ値のいずれか一方と、Ｉ値の離れ値とＩ値の反転値の離れ値とのいずれか一方とからなる４つの組み合わせに関して和及び差の絶対値を算出し、このなかから５に最も近いものを指標として算出する指標算出部と、
前記指標算出部により算出された指標について、５である場合をＡと判定し、４又は６である場合をＢと判定し、７である場合をＣと判定する指標判定部と、
前記指標判定部による判定結果を表示させる指標判定結果表示部と
を有する請求項１又は２に記載のバイオリズム表示装置。
【請求項４】
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、
Ｓ値が７以下の場合はＳ値を、Ｓ値が８以上２１以下の場合は１４からＳ値を引いた値を、Ｓ値が２２以上の場合Ｓ値から２８を引いた値をＳ値の離れ値として算出し、
Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、
Ｐ値の離れ値とＳ値の離れ値との差の絶対値からＩ値の離れ値の絶対値を引いた値を係数として算出する係数算出部と、
前記係数算出部により算出された係数を表示させる係数表示部と、
を有する請求項２又は３項に記載のバイオリズム表示装置。
【請求項５】
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、
Ｓ値が７以下の場合はＳ値を、Ｓ値が８以上２１以下の場合は１４からＳ値を引いた値を、Ｓ値が２２以上の場合Ｓ値から２８を引いた値をＳ値の離れ値として算出し、
Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、
Ｐ値の離れ値とＳ値の離れ値との差の絶対値からＩ値の離れ値の絶対値を引いた値を係数として算出する係数算出部と、
前記係数算出部により算出された係数について、１である場合をＡと判定し、−２である場合をＢと判定し、０である場合をＣと判定する係数判定部と、
前記係数判定部による判定結果を表示させる係数判定結果表示手段と
を有する請求項２から４のいずれか１項に記載のバイオリズム表示装置。
【請求項６】
以下の（１０１）〜（１０３）の要件を満たすバイオリズム表示装置。
（１０１）以下の（ａ）〜（ｌ）の内の少なくとも３つの要件を満たす。
（ａ）Ｐ値が１２以下である場合をプラスとし、Ｐ値が１３以上である場合をマイナスとするＰ符合判定部と、
Ｓ値が１４以下である場合をプラスとし、Ｓ値が１５以上である場合をマイナスとするＳ符号判定部と、
Ｉ値が１７以下である場合をプラスとし、Ｉ値が１８以上である場合をマイナスとするＩ符合判定部と、
前記Ｐ符合判定部による判定がプラス、前記Ｓ符号判定部による判定がプラス、前記Ｉ符号判定部による判定がマイナスである有意パタンであるかどうかを評価する符号評価部とを有する。
（ｂ）Ｐ値が６以下又は１９以上の場合に傾きを正とし、Ｐ値が７以上かつ１８以下の場合に傾きを負とするＰ傾き判定部と
Ｓ値が７以下又は２２以上の場合に傾きを正とし、Ｓ値が８以上かつ２１以下の場合に傾きを負とするＳ傾き判定部と、
Ｉ値が８以下又は２６以上の場合に傾きを正とし、Ｉ値が９以上かつ２５以下の場合に傾きを負とするＩ傾き判定部と、
前記Ｐ傾き判定部による判定が負、前記Ｓ傾き判定部による判定が正、前記Ｉ傾き判定部による判定が正である有意パタンであるかどうかを判定する傾き判定部とを有する。
（ｃ）Ｐ値又はＰ値の反転値が、４、６、１６、１８のいずれかの注目数に該当するかどうかを評価するＰ値評価部を有する。
（ｄ）Ｓ値又はＳ値の反転値が７、１４、２１、２８のいずれかの注目数に該当するかどうかを評価するＳ値評価部を有する
（ｅ）Ｉ値又はＩ値の反転値が９、１２、１６、１７、２６、２９、３３のいずれかの注目数に該当するかどうかを評価するＩ値評価部を有する。
（ｆ）Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、
Ｐ値の反転値が５以下の場合はＰ値の反転値を、Ｐ値の反転値が６以上１８以下の場合は１２からＰ値の反転値を引いた値を、Ｐ値の反転値が１９以上の場合は、Ｐ値の反転値から２３を引いた値をＰ値の反転値の離れ値として算出し、
Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、
Ｉ値の反転値が８以下の場合はＩ値の反転値を、Ｉ値の反転値が９以上２５以下の場合は１７からＩ値の反転値を引いた値を、Ｉ値の反転値が２６以上の場合はＩ値の反転値から３３を引いた値をＩ値の反転値の離れ値として算出し、
Ｐ値とＰ値の反転値とのいずれか一方と、Ｉ値とＩ値の反転値とのいずれか一方とからなる４つの組み合わせ、及び、Ｐ値の離れ値とＰ値の反転値の離れ値のいずれか一方と、Ｉ値の離れ値とＩ値の反転値の離れ値とのいずれか一方とからなる４つの組み合わせに関して和及び差の絶対値を算出し、このなかから５に最も近いものを指標として算出する指標算出部と、
前記指標算出部により算出された指標について、５である場合をＡと判定し、４又は６である場合をＢと判定し、７である場合をＣと判定する指標判定部を有する。
（ｇ）  Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、
Ｓ値が７以下の場合はＳ値を、Ｓ値が８以上２１以下の場合は１４からＳ値を引いた値を、Ｓ値が２２以上の場合Ｓ値から２８を引いた値をＳ値の離れ値として算出し、
Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、
Ｐ値の離れ値とＳ値の離れ値との差の絶対値からＩ値の離れ値の絶対値を引いた値を係数として算出する係数算出部と、
前記係数について、１である場合をＡと判定し、−２である場合をＢと判定し、０である場合をＣと判定する係数判定部とを有する。
（ｈ）Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、
Ｐ値の反転値が５以下の場合はＰ値の反転値を、Ｐ値の反転値が６以上１８以下の場合は１２からＰ値の反転値を引いた値を、Ｐ値の反転値が１９以上の場合は、Ｐ値の反転値から２３を引いた値をＰ値の反転値の離れ値として算出し、
Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、
Ｉ値の反転値が８以下の場合はＩ値の反転値を、Ｉ値の反転値が９以上２５以下の場合は１７からＩ値の反転値を引いた値を、Ｉ値の反転値が２６以上の場合はＩ値の反転値から３３を引いた値をＩ値の反転値の離れ値として算出し、
Ｐ値とＰ値の反転値とのいずれか一方と、Ｉ値とＩ値の反転値とのいずれか一方とからなる４つの組み合わせ、及び、Ｐ値の離れ値とＰ値の反転値の離れ値のいずれか一方と、Ｉ値の離れ値とＩ値の反転値の離れ値とのいずれか一方とからなる４つの組み合わせに関して和及び差の絶対値を算出し、このなかから５に最も近いものを指標として算出する指標算出部と、
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、
Ｓ値が７以下の場合はＳ値を、Ｓ値が８以上２１以下の場合は１４からＳ値を引いた値を、Ｓ値が２２以上の場合Ｓ値から２８を引いた値をＳ値の離れ値として算出し、
Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、
Ｐ値の離れ値とＳ値の離れ値との差の絶対値からＩ値の離れ値の絶対値を引いた値を係数として算出する係数算出部と、
Ｐ値が１２以下である場合をプラスとし、Ｐ値が１３以上である場合をマイナスとするＰ符合判定部と、
Ｓ値が１４以下である場合をプラスとし、Ｓ値が１５以上である場合をマイナスとするＳ符号判定部と、
Ｉ値が１７以下である場合をプラスとし、Ｉ値が１８以上である場合をマイナスとするＩ符合判定部と、
Ｐ値が６以下又は１９以上の場合に傾きを正とし、Ｐ値が７以上かつ１８以下の場合に傾きを負とするＰ傾き判定部と
Ｓ値が７以下又は２２以上の場合に傾きを正とし、Ｓ値が８以上かつ２１以下の場合に傾きを負とするＳ傾き判定部と、
Ｉ値が８以下又は２６以上の場合に傾きを正とし、Ｉ値が９以上かつ２５以下の場合に傾きを負とするＩ傾き判定部と、
Ｐ値、Ｓ値、Ｉ値、Ｐ値の反転値、Ｓ値の反転値、Ｉ値の反転値、Ｐ値の符号、Ｓ値の符号、Ｉ値の符号、Ｐ値の傾き、Ｉ値の傾き、Ｓ値の傾き、指標、係数のいずれかからなる複数の組み合わせパタンごとに定められた点数を、各組み合わせが成立しているかどうかを判断して加算し合計をポイントとして算出するポイント算出部と、
前記ポイントについて、所定の特定ポイント数に該当するかどうかを評価するポイント評価部とを有する。
（ｉ）Ｐ値が４又は１６で、Ｓ値又はＩ値が注目数に該当する場合に、Ｈであると判定するＨ判定部を有する。
（ｊ）Ｐ値が１２以下である場合をプラスとし、Ｐ値が１３以上である場合をマイナスとするＰ符合判定部と、
Ｓ値が１４以下である場合をプラスとし、Ｓ値が１５以上である場合をマイナスとするＳ符号判定部と、
Ｉ値が１７以下である場合をプラスとし、Ｉ値が１８以上である場合をマイナスとするＩ符合判定部と、
Ｐ値が６以下又は１９以上の場合に傾きを正とし、Ｐ値が７以上かつ１８以下の場合に傾きを負とするＰ傾き判定部と
Ｓ値が７以下又は２２以上の場合に傾きを正とし、Ｓ値が８以上かつ２１以下の場合に傾きを負とするＳ傾き判定部と、
Ｉ値が８以下又は２６以上の場合に傾きを正とし、Ｉ値が９以上かつ２５以下の場合に傾きを負とするＩ傾き判定部と、
Ｐ値、Ｓ値、Ｉ値、Ｐ値の反転値、Ｓ値の反転値、Ｉ値の反転値、Ｐ値の符号、Ｓ値の符号、Ｉ値の符号、Ｐ値の傾き、Ｉ値の傾き、Ｓ値の傾き、指標、係数のいずれかからなる所定の複数の組み合わせパタンごとに定められた点数を、各組み合わせが成立しているかどうかを判断して加算し合計を＋α値として算出する＋α算出部と、
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、
Ｐ値の反転値が５以下の場合はＰ値の反転値を、Ｐ値の反転値が６以上１８以下の場合は１２からＰ値の反転値を引いた値を、Ｐ値の反転値が１９以上の場合は、Ｐ値の反転値から２３を引いた値をＰ値の反転値の離れ値として算出し、
Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、
Ｉ値の反転値が８以下の場合はＩ値の反転値を、Ｉ値の反転値が９以上２５以下の場合は１７からＩ値の反転値を引いた値を、Ｉ値の反転値が２６以上の場合はＩ値の反転値から３３を引いた値をＩ値の反転値の離れ値として算出し、
Ｐ値とＰ値の反転値とのいずれか一方と、Ｉ値とＩ値の反転値とのいずれか一方とからなる４つの組み合わせ、及び、Ｐ値の離れ値とＰ値の反転値の離れ値のいずれか一方と、Ｉ値の離れ値とＩ値の反転値の離れ値とのいずれか一方とからなる４つの組み合わせに関して和及び差の絶対値を算出し、このなかから５に最も近いものを指標として算出する指標算出部と、
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、
Ｓ値が７以下の場合はＳ値を、Ｓ値が８以上２１以下の場合は１４からＳ値を引いた値を、Ｓ値が２２以上の場合Ｓ値から２８を引いた値をＳ値の離れ値として算出し、
Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、
Ｐ値の離れ値とＳ値の離れ値との差の絶対値からＩ値の離れ値の絶対値を引いた値を係数として算出する係数算出部と、
Ｐ値、Ｓ値、Ｉ値、Ｐ値の反転値、Ｓ値の反転値、Ｉ値の反転値、Ｐ値の符号、Ｓ値の符号、Ｉ値の符号、Ｐ値の傾き、Ｉ値の傾き、Ｓ値の傾き、指標、係数のいずれかからなる複数の組み合わせパタンごとに定められた点数を、各組み合わせが成立しているかどうかを判断して加算し合計をポイントとして算出するポイント算出部と、
Ｐ値、Ｓ値、Ｉ値、Ｐ値の反転値、Ｓ値の反転値、Ｉ値の反転値、Ｐ値の符号、Ｓ値の符号、Ｉ値の符号、Ｐ値の傾き、Ｉ値の傾き、Ｓ値の傾き、指標、係数のいずれかからなる所定の複数の組み合わせパタンごとに定められた点数を、各組み合わせが成立しているかどうかを判断して加算し合計を＋α値として算出する＋α算出部と、
指標が４から７のいずれかの値、係数が−２、１、０のいずれかの値、ポイントが７、８、１１、１３のいずれかの値である場合に、各該当する値ごとに定められた点数を各値に該当するかどうかを判断して加算し合計を競争値として算出する競争値算出部と、
指標について、５である場合をＡと判定し、４又は６である場合をＢと判定し、７である場合をＣと判定する指標判定部と、
当該指標判定部がＡ、Ｂ、Ｃのいずれかであると判定し、かつ、ポイントが所定値であり、競争値と＋α値の合計が第二の所定値以上である場合に、Ｌであると判定するＬ判定部を有する。
（ｋ）Ｐ値が１２以下である場合をプラスとし、Ｐ値が１３以上である場合をマイナスとするＰ符合判定部と、
Ｓ値が１４以下である場合をプラスとし、Ｓ値が１５以上である場合をマイナスとするＳ符号判定部と、
Ｉ値が１７以下である場合をプラスとし、Ｉ値が１８以上である場合をマイナスとするＩ符合判定部と、
Ｐ値が６以下又は１９以上の場合に傾きを正とし、Ｐ値が７以上かつ１８以下の場合に傾きを負とするＰ傾き判定部と
Ｓ値が７以下又は２２以上の場合に傾きを正とし、Ｓ値が８以上かつ２１以下の場合に傾きを負とするＳ傾き判定部と、
Ｉ値が８以下又は２６以上の場合に傾きを正とし、Ｉ値が９以上かつ２５以下の場合に傾きを負とするＩ傾き判定部と、
Ｐ値が６かつＰ値、Ｓ値、Ｉ値の各符号がプラス、マイナス、マイナスかつＰ値、Ｓ値、Ｉ値の各傾きがそれぞれ正、正、正の場合、又は、Ｐ値が１８かつＰ値、Ｓ値、Ｉ値の各符号がマイナス、プラス、プラスかつＰ値、Ｓ値、Ｉ値の各傾きが負、負、負である場合にＳであると判定するＳ判定部とを有する。
（ｌ）Ｐ値が１２以下である場合をプラスとし、Ｐ値が１３以上である場合をマイナスとするＰ符合判定部と、
Ｓ値が１４以下である場合をプラスとし、Ｓ値が１５以上である場合をマイナスとするＳ符号判定部と、
Ｉ値が１７以下である場合をプラスとし、Ｉ値が１８以上である場合をマイナスとするＩ符合判定部と、
Ｐ値が６以下又は１９以上の場合に傾きを正とし、Ｐ値が７以上かつ１８以下の場合に傾きを負とするＰ傾き判定部と
Ｓ値が７以下又は２２以上の場合に傾きを正とし、Ｓ値が８以上かつ２１以下の場合に傾きを負とするＳ傾き判定部と、
Ｉ値が８以下又は２６以上の場合に傾きを正とし、Ｉ値が９以上かつ２５以下の場合に傾きを負とするＩ傾き判定部と、
Ｐ値、Ｓ値、Ｉ値、Ｐ値の反転値、Ｓ値の反転値、Ｉ値の反転値、Ｐ値の符号、Ｓ値の符号、Ｉ値の符号、Ｐ値の傾き、Ｉ値の傾き、Ｓ値の傾き、指標、係数のいずれかからなる所定の複数の組み合わせパタンごとに定められた点数を、各組み合わせが成立しているかどうかを判断して加算し合計を＋α値として算出する＋α算出部と、
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、
Ｐ値の反転値が５以下の場合はＰ値の反転値を、Ｐ値の反転値が６以上１８以下の場合は１２からＰ値の反転値を引いた値を、Ｐ値の反転値が１９以上の場合は、Ｐ値の反転値から２３を引いた値をＰ値の反転値の離れ値として算出し、
Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、
Ｉ値の反転値が８以下の場合はＩ値の反転値を、Ｉ値の反転値が９以上２５以下の場合は１７からＩ値の反転値を引いた値を、Ｉ値の反転値が２６以上の場合はＩ値の反転値から３３を引いた値をＩ値の反転値の離れ値として算出し、
Ｐ値とＰ値の反転値とのいずれか一方と、Ｉ値とＩ値の反転値とのいずれか一方とからなる４つの組み合わせ、及び、Ｐ値の離れ値とＰ値の反転値の離れ値のいずれか一方と、Ｉ値の離れ値とＩ値の反転値の離れ値とのいずれか一方とからなる４つの組み合わせに関して和及び差の絶対値を算出し、このなかから５に最も近いものを指標として算出する指標算出部と、
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、
Ｓ値が７以下の場合はＳ値を、Ｓ値が８以上２１以下の場合は１４からＳ値を引いた値を、Ｓ値が２２以上の場合Ｓ値から２８を引いた値をＳ値の離れ値として算出し、
Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、
Ｐ値の離れ値とＳ値の離れ値との差の絶対値からＩ値の離れ値の絶対値を引いた値を係数として算出する係数算出部と、  Ｐ値、Ｓ値、Ｉ値、Ｐ値の反転値、Ｓ値の反転値、Ｉ値の反転値、Ｐ値の符号、Ｓ値の符号、Ｉ値の符号、Ｐ値の傾き、Ｉ値の傾き、Ｓ値の傾き、指標、係数のいずれかからなる複数の組み合わせパタンごとに定められた点数を、各組み合わせが成立しているかどうかを判断して加算し合計をポイントとして算出するポイント算出部と、
指標が４から７のいずれかの値、係数が−２、１、０のいずれかの値、ポイントが７、８、１１、１３のいずれかの値である場合に、各該当する値ごとに定められた点数を各値に該当するかどうかを判断して加算し合計を競争値として算出する競争値算出部と、
＋αの値が所定値以上、又は、＋αと競争値との合計が第二の所定値以上の、有意値にあるかどうかを評価する＋α・競争値評価部とを有する。
（１０２）Ｐ値が注目数に該当する場合、Ｓ値が注目数に該当する場合、Ｉ値が注目数に該当する場合、Ｐ値の反転値が注目数に該当する場合、Ｓ値の反転値が注目数に該当する場合、Ｉ値の反転値が注目数に該当する場合、指標がＡ、Ｂ、Ｃのいずれかに該当する場合、係数がＡ、Ｂ、Ｃのいずれかに該当する場合、Ｈに該当する場合、Ｌに該当する場合、Ｓに該当する場合、ポイントが特定ポイント数に該当する場合、符号が有意パタンに該当する場合、勾配が有意パタンに該当する場合、＋α及び競争値に関して有意値に該当する場合、のいずれかの場合のうちの２以上に該当するかどうかを判断する評価判定部を有する。
（１０３）前記評価判定部の判断結果を表示させる評価判定表示部を有する。
【請求項７】
前記評価判定部は、Ｐ値が注目数に該当する場合、Ｓ値が注目数に該当する場合、Ｉ値が注目数に該当する場合、Ｐ値の反転値が注目数に該当する場合、Ｓ値の反転値が注目数に該当する場合、Ｉ値の反転値が注目数に該当する場合、指標がＡ、Ｂ、Ｃのいずれかに該当する場合、係数がＡ、Ｂ、Ｃのいずれかに該当する場合、Ｈに該当する場合、Ｌに該当する場合、Ｓに該当する場合、ポイントが特定ポイント数に該当する場合、符号が有意パタンに該当する場合、勾配が有意パタンに該当する場合、＋α及び競争値に関して有意値に該当する場合、のいずれかの場合のうちの３以上に該当する場合を判断する請求項６に記載のバイオリズム表示装置。
【請求項８】
前記評価判定部は、さらに、Ｐ値が注目数に該当する場合、Ｓ値が注目数に該当する場合、Ｉ値が注目数に該当する場合、Ｐ値の反転値が注目数に該当する場合、Ｓ値の反転値が注目数に該当する場合、Ｉ値の反転値が注目数に該当する場合、指標がＡ、Ｂ、Ｃのいずれかに該当する場合、係数がＡ、Ｂ、Ｃのいずれかに該当する場合、Ｈに該当する場合、Ｌに該当する場合、Ｓに該当する場合、ポイントが特定ポイント数に該当する場合、符号が有意パタンに該当する場合、勾配が有意パタンに該当する場合、＋α及び競争値に関して有意値に該当する場合、のいずれからなる組み合わせパタンに応じた点数を付与する請求項６又は７に記載のバイオリズム表示装置。
【請求項９】
前記評価判定部は、Ｐ値が注目数に該当する場合、Ｓ値が注目数に該当する場合、Ｉ値が注目数に該当する場合、Ｐ値の反転値が注目数に該当する場合、Ｓ値の反転値が注目数に該当する場合、Ｉ値の反転値が注目数に該当する場合、指標がＡ、Ｂ、Ｃのいずれかに該当する場合、係数がＡ、Ｂ、Ｃのいずれかに該当する場合、Ｈに該当する場合、Ｌに該当する場合、Ｓに該当する場合、ポイントが特定ポイント数に該当する場合、符号が有意パタンに該当する場合、勾配が有意パタンに該当する場合、＋α及び競争値に関して有意値に該当する場合、のいずれかの場合のうち３該当する場合であっても、これを３に該当するものとしないパタンを記憶しておき、当該パタンに該当するものは２以下とみなすものである請求項７に記載のバイオリズム表示装置。
【請求項１０】
コンピューターに請求項１から９のいずれか１項に記載のバイオリズム表示装置として機能させるためのプログラム。
【発明の詳細な説明】
【技術分野】
【０００１】
本発明は、バイオリズムを、対象者の生年月日に基づいて、当該対象者に関して特定の日にちの良不良を評価するために表示する装置に関する。
【背景技術】
【０００２】
下記特許文献に示されるように、バイオリズム理論に基づいて、対象者に関するバイオリズムに関連するデータや画像を表示する装置が提案されてきた。バイオリズム理論は、生年月日を基準日として、２３日周期のサイン曲線を体調（Ｐ）のリズム、２８日周期のサイン曲線を感情（Ｓ）のリズム、３３日周期のサイン曲線を知性（Ｉ）のリズムとして、それぞれがプラスにあるときを好調とし、マイナスであるときを不調とするものである。
【先行技術文献】
【特許文献】
【０００３】
【特許文献１】実開昭６１−７３２６号公報
【特許文献２】実公平６−１８６２０号公報
【特許文献３】特許４９７７３９３号公報
【発明の概要】
【発明が解決しようとする課題】
【０００４】
ところで、Ｐリズム、Ｓリズム、Ｉリズムの周期の最大公約数は１であるので、最大公倍数は２３、２８、３３を掛けた２１２５２となり、ＰＳＩとしてみると２１２５２日、即ち約５８年が１周期となる。このようにバイオリズムでは総数が膨大であることから、検証が困難であり、単純なプラスマイナスの領域にあるか否かのみの判定を行う程度のものにとどまっていた。
本願の発明者は、各リズムの周期を反転した反転リズムに着目することで、ＰＳＩの周期を半分にする着想を得た。即ち、Ｓリズムの２８日を例に取ると、サイン曲線なので一つの周期における１日目から１４日目と１５日目から２８日目とは互いに反転した値となる。各日にちに対応する反転した値を持つ日にちを反転日とし、各日にちと反転日とを同等のものと評価するとＳリズムは１４日周期に縮めることが可能となる。ＰリズムとＩリズムの周期は２で割れないが、Ｐリズムにおける１日目から１１日目と１３日目から２３日目とを互いに反転する日とし、１２日目については反転日を２３日目とすると反転日の設定が可能となり、同様に、Ｉリズムにおける１日目から１６日目と１８日目から３３日目とを互いに反転する日とし、１７日目については反転日を３３日目とすると反転日の設定が可能となる。
このような反転リズムの導入とともに、本願の発明者は膨大なサンプルデータを検証することで、単純なプラス領域に属するかマイナス領域に属するかといった観点のみならず、各周期における何日目に該当するかを示す日にちの値のいくつか、反転日を含むＰＳＩのそれぞれの日にち同士の関係、サイン曲線における傾きなどが評価するためのパラメーターとして有効であることを見出した。
本発明は、このような知見に基づいて、バイオリズムにおける２３日周期のＰリズム、２８日周期のＳのリズム、３３日周期のＩリズムにさらに、反転リズムを加味したバイオリズム診断が可能なバイオリズム表示装置を提供することを課題とする。
【課題を解決するための手段】
【０００５】
上記課題を解決するために、本発明は次のような構成を有する。
請求項１に記載の発明は、対象者の生年月日の入力を受け付ける生年月日受付手段と、評価する日付である対象日の入力を受け付ける対象日受付手段と、生年月日から対象日までの経過日数を算出する経過日数算出手段と、経過日数を２３で割り、余りが出る場合は余りの日数に１を足した値を、余りが出ない場合は１をＰ値として算出するＰ値算出部と、経過日数を２８で割り、余りが出る場合は余りの日数に１を足した値を、余りが出ない場合は１をＳ値として算出するＳ値算出部と、経過日数を３３で割り、余りが出る場合は余りの日数に１を足した値を、余りが出ない場合は１をＩ値として算出するＩ値算出部と、Ｐ値が１２未満の場合、Ｐ値に１２を足した値をＰ値の反転値とし、Ｐ値が１３以上の場合、Ｐ値から１２を引いた値をＰ値の反転値とし、Ｐ値が１２の場合２３をＰ値の反転値とするＰ反転値算出部と、Ｓ値が１４以下の場合、Ｓ値に１４を足した値をＳ値の反転値とし、Ｓ値が１５以上の場合、Ｓ値から１４を引いた値をＳ値を反転値とするＳ反転値算出部と、Ｉ値が１７未満の場合、Ｉ値に１７を足した値をＩ値の反転値とし、Ｉ値が１８以上の場合、Ｉ値から１７を引いた値をＩ値の反転値とし、Ｉ値が１７の場合３３をＩ値の反転値とするＩ反転値算出部とを有するバイオリズム表示装置である。
【０００６】
請求項２に記載の発明は、前記バイオリズム表示装置において、Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、Ｐ値の反転値が５以下の場合はＰ値の反転値を、Ｐ値の反転値が６以上１８以下の場合は１２からＰ値の反転値を引いた値を、Ｐ値の反転値が１９以上の場合は、Ｐ値の反転値から２３を引いた値をＰ値の反転値の離れ値として算出し、Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、Ｉ値の反転値が８以下の場合はＩ値の反転値を、Ｉ値の反転値が９以上２５以下の場合は１７からＩ値の反転値を引いた値を、Ｉ値の反転値が２６以上の場合はＩ値の反転値から３３を引いた値をＩ値の反転値の離れ値として算出し、Ｐ値とＰ値の反転値とのいずれか一方と、Ｉ値とＩ値の反転値とのいずれか一方とからなる４つの組み合わせ、及び、Ｐ値の離れ値とＰ値の反転値の離れ値とのいずれか一方と、Ｉ値の離れ値とＩ値の反転値の離れ値とのずれかと一方とからなる４つの組み合わせに関して和及び差の絶対値を算出し、このなかから５に最も近いものを指標として算出する指標算出部と、前記指標算出部により算出された指標を表示させる指標表示部とを有するものである。
請求項３に記載の発明は、前記バイオリズム表示装置において、Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、Ｐ値の反転値が５以下の場合はＰ値の反転値を、Ｐ値の反転値が６以上１８以下の場合は１２からＰ値の反転値を引いた値を、Ｐ値の反転値が１９以上の場合は、Ｐ値の反転値から２３を引いた値をＰ値の反転値の離れ値として算出し、Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、Ｉ値の反転値が８以下の場合はＩ値の反転値を、Ｉ値の反転値が９以上２５以下の場合は１７からＩ値の反転値を引いた値を、Ｉ値の反転値が２６以上の場合はＩ値の反転値から３３を引いた値をＩ値の反転値の離れ値として算出し、Ｐ値とＰ値の反転値とのいずれか一方と、Ｉ値とＩ値の反転値とのいずれか一方とからなる４つの組み合わせ、及び、Ｐ値の離れ値とＰ値の反転値の離れ値とのいずれか一方と、Ｉ値の離れ値とＩ値の反転値の離れ値とのいずれか一方とからなる４つの組み合わせに関して和及び差の絶対値を算出し、このなかから５に最も近いものを指標として算出する指標算出部と、前記指標算出部により算出された指標について、５である場合をＡと判定し、４又は６である場合をＢと判定し、７である場合をＣと判定する指標判定部と、前記指標判定部による判定結果を表示させる指標判定結果表示部とを有するものである。
【０００７】
請求項４に記載の発明は、請求項２又は３に記載のバイオリズム表示装置において、Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、Ｓ値が７以下の場合はＳ値を、Ｓ値が８以上２１以下の場合は１４からＳ値を引いた値を、Ｓ値が２２以上の場合Ｓ値から２８を引いた値をＳ値の離れ値として算出し、Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、Ｐ値の離れ値とＳ値の離れ値との差の絶対値からＩ値の離れ値の絶対値を引いた値を係数として算出する係数算出部と、前記係数算出部により算出された係数を表示させる係数表示部とを有するものである。
請求項５に記載の発明は、請求項２から４のいずれかに記載のバイオリズム表示装置において、Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、Ｓ値が７以下の場合はＳ値を、Ｓ値が８以上２１以下の場合は１４からＳ値を引いた値を、Ｓ値が２２以上の場合Ｓ値から２８を引いた値をＳ値の離れ値として算出し、Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、Ｐ値の離れ値とＳ値の離れ値との差の絶対値からＩ値の離れ値の絶対値を引いた値を係数として算出する係数算出部と、前記係数算出部により算出された係数について、１である場合をＡと判定し、−２である場合をＢと判定し、０である場合をＣと判定する係数判定部と、前記係数判定部による判定結果を表示させる係数判定結果表示手段とを有するものである。
【０００８】
請求項６に記載の発明は、前記バイオリズム表示装置において、さらに以下の（１０１）〜（１０３）の要件を満たすものである。
（１０１）以下の（ａ）〜（ｌ）の内の少なくとも３つの要件を満たす。
（ａ）Ｐ値が１２以下である場合をプラスとし、Ｐ値が１３以上である場合をマイナスとするＰ符合判定部と、
Ｓ値が１４以下である場合をプラスとし、Ｓ値が１５以上である場合をマイナスとするＳ符号判定部と、
Ｉ値が１７以下である場合をプラスとし、Ｉ値が１８以上である場合をマイナスとするＩ符合判定部と、
前記Ｐ符合判定部による判定がプラス、前記Ｓ符号判定部による判定がプラス、前記Ｉ符号判定部による判定がマイナスである有意パタンであるかどうかを評価する符号評価部とを有する。
（ｂ）Ｐ値が６以下又は１９以上の場合に傾きを正とし、Ｐ値が７以上かつ１８以下の場合に傾きを負とするＰ傾き判定部と
Ｓ値が７以下又は２２以上の場合に傾きを正とし、Ｓ値が８以上かつ２１以下の場合に傾きを負とするＳ傾き判定部と、
Ｉ値が８以下又は２６以上の場合に傾きを正とし、Ｉ値が９以上かつ２５以下の場合に傾きを負とするＩ傾き判定部と、
前記Ｐ傾き判定部による判定が負、前記Ｓ傾き判定部による判定が正、前記Ｉ傾き判定部による判定が正である有意パタンであるかどうかを判定する傾き判定部とを有する。
（ｃ）Ｐ値又はＰ値の反転値が、４、６、１６、１８のいずれかの注目数に該当するかどうかを評価するＰ値評価部を有する。
（ｄ）Ｓ値又はＳ値の反転値が７、１４、２１、２８のいずれかの注目数に該当するかどうかを評価するＳ値評価部を有する
（ｅ）Ｉ値又はＩ値の反転値が９、１２、１６、１７、２６、２９、３３のいずれかの注目数に該当するかどうかを評価するＩ値評価部を有する。
（ｆ）Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、  Ｐ値の反転値が５以下の場合はＰ値の反転値を、Ｐ値の反転値が６以上１８以下の場合は１２からＰ値の反転値を引いた値を、Ｐ値の反転値が１９以上の場合は、Ｐ値の反転値から２３を引いた値をＰ値の反転値の離れ値として算出し、Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、Ｉ値の反転値が８以下の場合はＩ値の反転値を、Ｉ値の反転値が９以上２５以下の場合は１７からＩ値の反転値を引いた値を、Ｉ値の反転値が２６以上の場合はＩ値の反転値から３３を引いた値をＩ値の反転値の離れ値として算出し、Ｐ値とＰ値の反転値とのいずれか一方と、Ｉ値とＩ値の反転値とのいずれか一方とからなる４つの組み合わせ、及び、Ｐ値の離れ値とＰ値の反転値の離れ値のいずれか一方と、Ｉ値の離れ値とＩ値の反転値の離れ値とのいずれか一方とからなる４つの組み合わせに関して和及び差の絶対値を算出し、このなかから５に最も近いものを指標として算出する指標算出部と、
前記指標について、５である場合をＡと判定し、４又は６である場合をＢと判定し、７である場合をＣと判定する指標判定部とを有する。
（ｇ）Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、  Ｓ値が７以下の場合はＳ値を、Ｓ値が８以上２１以下の場合は１４からＳ値を引いた値を、Ｓ値が２２以上の場合Ｓ値から２８を引いた値をＳ値の離れ値として算出し、Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、Ｐ値の離れ値とＳ値の離れ値との差の絶対値からＩ値の離れ値の絶対値を引いた値を係数として算出する係数算出部と、
前記係数について、１である場合をＡと判定し、−２である場合をＢと判定し、０である場合をＣと判定する係数判定部とを有する。
（ｈ）Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、Ｐ値の反転値が５以下の場合はＰ値の反転値を、Ｐ値の反転値が６以上１８以下の場合は１２からＰ値の反転値を引いた値を、Ｐ値の反転値が１９以上の場合は、Ｐ値の反転値から２３を引いた値をＰ値の反転値の離れ値として算出し、Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、Ｉ値の反転値が８以下の場合はＩ値の反転値を、Ｉ値の反転値が９以上２５以下の場合は１７からＩ値の反転値を引いた値を、Ｉ値の反転値が２６以上の場合はＩ値の反転値から３３を引いた値をＩ値の反転値の離れ値として算出し、Ｐ値とＰ値の反転値とのいずれか一方と、Ｉ値とＩ値の反転値とのいずれか一方とからなる４つの組み合わせ、及び、Ｐ値の離れ値とＰ値の反転値の離れ値とのいずれか一方と、Ｉ値の離れ値とＩ値の反転値の離れ値とのいずれか一方とからなる４つの組み合わせに関して和及び差の絶対値を算出し、このなかから５に最も近いものを指標として算出する指標算出部と、
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、Ｓ値が７以下の場合はＳ値を、Ｓ値が８以上２１以下の場合は１４からＳ値を引いた値を、Ｓ値が２２以上の場合Ｓ値から２８を引いた値をＳ値の離れ値として算出し、Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、Ｐ値の離れ値とＳ値の離れ値との差の絶対値からＩ値の離れ値の絶対値を引いた値を係数として算出する係数算出部と、
Ｐ値が１２以下である場合をプラスとし、Ｐ値が１３以上である場合をマイナスとするＰ符合判定部と、
Ｓ値が１４以下である場合をプラスとし、Ｓ値が１５以上である場合をマイナスとするＳ符号判定部と、
Ｉ値が１７以下である場合をプラスとし、Ｉ値が１８以上である場合をマイナスとするＩ符合判定部と、
Ｐ値が６以下又は１９以上の場合に傾きを正とし、Ｐ値が７以上かつ１８以下の場合に傾きを負とするＰ傾き判定部と
Ｓ値が７以下又は２２以上の場合に傾きを正とし、Ｓ値が８以上かつ２１以下の場合に傾きを負とするＳ傾き判定部と、
Ｉ値が８以下又は２６以上の場合に傾きを正とし、Ｉ値が９以上かつ２５以下の場合に傾きを負とするＩ傾き判定部と、
Ｐ値、Ｓ値、Ｉ値、Ｐ値の反転値、Ｓ値の反転値、Ｉ値の反転値、Ｐ値の符号、Ｓ値の符号、Ｉ値の符号、Ｐ値の傾き、Ｉ値の傾き、Ｓ値の傾き、指標、係数のいずれかからなる複数の組み合わせパタンごとに定められた点数を、各組み合わせが成立しているかどうかを判断して加算し合計をポイントとして算出するポイント算出部と、
前記ポイントについて、所定の特定ポイント数に該当するかどうかを評価するポイント評価部とを有する。
（ｉ）Ｐ値が４又は１６で、Ｓ値又はＩ値が注目数に該当する場合に、Ｈであると判定するＨ判定部を有する。
（ｊ）Ｐ値が１２以下である場合をプラスとし、Ｐ値が１３以上である場合をマイナスとするＰ符合判定部と、
Ｓ値が１４以下である場合をプラスとし、Ｓ値が１５以上である場合をマイナスとするＳ符号判定部と、
Ｉ値が１７以下である場合をプラスとし、Ｉ値が１８以上である場合をマイナスとするＩ符合判定部と、
Ｐ値が５以下又は１８以上の場合に傾きを正とし、Ｐ値が６以上かつ１７以下の場合に傾きを負とするＰ傾き判定部と
Ｓ値が７以下又は２２以上の場合に傾きを正とし、Ｓ値が８以上かつ２１以下の場合に傾きを負とするＳ傾き判定部と、
Ｉ値が８以下又は２６以上の場合に傾きを正とし、Ｉ値が９以上かつ２５以下の場合に傾きを負とするＩ傾き判定部と、
Ｐ値、Ｓ値、Ｉ値、Ｐ値の反転値、Ｓ値の反転値、Ｉ値の反転値、Ｐ値の符号、Ｓ値の符号、Ｉ値の符号、Ｐ値の傾き、Ｉ値の傾き、Ｓ値の傾き、指標、係数のいずれかからなる所定の複数の組み合わせパタンごとに定められた点数を、各組み合わせが成立しているかどうかを判断して加算し合計を＋α値として算出する＋α算出部と、
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、Ｐ値の反転値が５以下の場合はＰ値の反転値を、Ｐ値の反転値が６以上１８以下の場合は１２からＰ値の反転値を引いた値を、Ｐ値の反転値が１９以上の場合は、Ｐ値の反転値から２３を引いた値をＰ値の反転値の離れ値として算出し、Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、Ｉ値の反転値が８以下の場合はＩ値の反転値を、Ｉ値の反転値が９以上２５以下の場合は１７からＩ値の反転値を引いた値を、Ｉ値の反転値が２６以上の場合はＩ値の反転値から３３を引いた値をＩ値の反転値の離れ値として算出し、Ｐ値とＰ値の反転値とのいずれか一方と、Ｉ値とＩ値の反転値とのいずれか一方とからなる４つの組み合わせ、及び、Ｐ値の離れ値とＰ値の反転値の離れ値とのいずれか一方と、Ｉ値の離れ値とＩ値の反転値の離れ値とのいずれか一方とからなる４つの組み合わせに関して和及び差の絶対値を算出し、このなかから５に最も近いものを指標として算出する指標算出部と、
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、  Ｓ値が７以下の場合はＳ値を、Ｓ値が８以上２１以下の場合は１４からＳ値を引いた値を、Ｓ値が２２以上の場合Ｓ値から２８を引いた値をＳ値の離れ値として算出し、Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、Ｐ値の離れ値とＳ値の離れ値との差の絶対値からＩ値の離れ値の絶対値を引いた値を係数として算出する係数算出部と、
Ｐ値、Ｓ値、Ｉ値、Ｐ値の反転値、Ｓ値の反転値、Ｉ値の反転値、Ｐ値の符号、Ｓ値の符号、Ｉ値の符号、Ｐ値の傾き、Ｉ値の傾き、Ｓ値の傾き、指標、係数のいずれかからなる複数の組み合わせパタンごとに定められた点数を、各組み合わせが成立しているかどうかを判断して加算し合計をポイントとして算出するポイント算出部と、
Ｐ値、Ｓ値、Ｉ値、Ｐ値の反転値、Ｓ値の反転値、Ｉ値の反転値、Ｐ値の符号、Ｓ値の符号、Ｉ値の符号、Ｐ値の傾き、Ｉ値の傾き、Ｓ値の傾き、指標、係数のいずれかからなる所定の複数の組み合わせパタンごとに定められた点数を、各組み合わせが成立しているかどうかを判断して加算し合計を＋α値として算出する＋α算出部と、
指標が４から７のいずれかの値、係数が−２、１、０のいずれかの値、ポイントが７、８、１１、１３のいずれかの値である場合に、各該当する値ごとに定められた点数を各値に該当するかどうかを判断して加算し合計を競争値として算出する競争値算出部と、
指標について、５である場合をＡと判定し、４又は６である場合をＢと判定し、７である場合をＣと判定する指標判定部と、
当該指標判定部がＡ、Ｂ、Ｃのいずれかであると判定し、かつ、ポイントが所定値であり、競争値と＋α値の合計が第二の所定値以上である場合に、Ｌであると判定するＬ判定部を有する。
（ｋ）Ｐ値が１２以下である場合をプラスとし、Ｐ値が１３以上である場合をマイナスとするＰ符合判定部と、
Ｓ値が１４以下である場合をプラスとし、Ｓ値が１５以上である場合をマイナスとするＳ符号判定部と、
Ｉ値が１７以下である場合をプラスとし、Ｉ値が１８以上である場合をマイナスとするＩ符合判定部と、
Ｐ値が６以下又は１９以上の場合に傾きを正とし、Ｐ値が７以上かつ１８以下の場合に傾きを負とするＰ傾き判定部と
Ｓ値が７以下又は２２以上の場合に傾きを正とし、Ｓ値が８以上かつ２１以下の場合に傾きを負とするＳ傾き判定部と、
Ｉ値が８以下又は２６以上の場合に傾きを正とし、Ｉ値が９以上かつ２５以下の場合に傾きを負とするＩ傾き判定部と、
Ｐ値が６かつＰ値、Ｓ値、Ｉ値の各符号がプラス、マイナス、マイナスかつＰ値、Ｓ値、Ｉ値の各傾きがそれぞれ正、正、正の場合、又は、Ｐ値が１８かつＰ値、Ｓ値、Ｉ値の各符号がマイナス、プラス、プラスかつＰ値、Ｓ値、Ｉ値の各傾きが負、負、負である場合にＳであると判定するＳ判定部とを有する。
（ｌ）Ｐ値が１２以下である場合をプラスとし、Ｐ値が１３以上である場合をマイナスとするＰ符合判定部と、
Ｓ値が１４以下である場合をプラスとし、Ｓ値が１５以上である場合をマイナスとするＳ符号判定部と、
Ｉ値が１７以下である場合をプラスとし、Ｉ値が１８以上である場合をマイナスとするＩ符合判定部と、
Ｐ値が６以下又は１９以上の場合に傾きを正とし、Ｐ値が７以上かつ１８以下の場合に傾きを負とするＰ傾き判定部と
Ｓ値が７以下又は２２以上の場合に傾きを正とし、Ｓ値が８以上かつ２１以下の場合に傾きを負とするＳ傾き判定部と、
Ｉ値が８以下又は２６以上の場合に傾きを正とし、Ｉ値が９以上かつ２５以下の場合に傾きを負とするＩ傾き判定部と、
Ｐ値、Ｓ値、Ｉ値、Ｐ値の反転値、Ｓ値の反転値、Ｉ値の反転値、Ｐ値の符号、Ｓ値の符号、Ｉ値の符号、Ｐ値の傾き、Ｉ値の傾き、Ｓ値の傾き、指標、係数のいずれかからなる所定の複数の組み合わせパタンごとに定められた点数を、各組み合わせが成立しているかどうかを判断して加算し合計を＋α値として算出する＋α算出部と、
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、Ｐ値の反転値が５以下の場合はＰ値の反転値を、Ｐ値の反転値が６以上１８以下の場合は１２からＰ値の反転値を引いた値を、Ｐ値の反転値が１９以上の場合は、Ｐ値の反転値から２３を引いた値をＰ値の反転値の離れ値として算出し、Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、Ｉ値の反転値が８以下の場合はＩ値の反転値を、Ｉ値の反転値が９以上２５以下の場合は１７からＩ値の反転値を引いた値を、Ｉ値の反転値が２６以上の場合はＩ値の反転値から３３を引いた値をＩ値の反転値の離れ値として算出し、Ｐ値とＰ値の反転値とのいずれか一方と、Ｉ値とＩ値の反転値とのいずれか一方とからなる４つの組み合わせ、及び、Ｐ値の離れ値とＰ値の反転値の離れ値とのいずれか一方と、Ｉ値の離れ値とＩ値の反転値の離れ値とのいずれか一方とからなる４つの組み合わせに関して和及び差の絶対値を算出し、このなかから５に最も近いものを指標として算出する指標算出部と、
Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出し、Ｓ値が７以下の場合はＳ値を、Ｓ値が８以上２１以下の場合は１４からＳ値を引いた値を、Ｓ値が２２以上の場合Ｓ値から２８を引いた値をＳ値の離れ値として算出し、Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出し、Ｐ値の離れ値とＳ値の離れ値との差の絶対値からＩ値の離れ値の絶対値を引いた値を係数として算出する係数算出部と、
Ｐ値、Ｓ値、Ｉ値、Ｐ値の反転値、Ｓ値の反転値、Ｉ値の反転値、Ｐ値の符号、Ｓ値の符号、Ｉ値の符号、Ｐ値の傾き、Ｉ値の傾き、Ｓ値の傾き、指標、係数のいずれかからなる複数の組み合わせパタンごとに定められた点数を、各組み合わせが成立しているかどうかを判断して加算し合計をポイントとして算出するポイント算出部と、
指標が４から７のいずれかの値、係数が−２、１、０のいずれかの値、ポイントが７、８、１１、１３のいずれかの値である場合に、各該当する値ごとに定められた点数を各値に該当するかどうかを判断して加算し合計を競争値として算出する競争値算出部と、
＋αの値が所定値以上、又は、＋αと競争値との合計が第二の所定値以上の、有意値にあるかどうかを評価する＋α・競争値評価部とを有する。
（１０２）Ｐ値が注目数に該当する場合、Ｓ値が注目数に該当する場合、Ｉ値が注目数に該当する場合、Ｐ値の反転値が注目数に該当する場合、Ｓ値の反転値が注目数に該当する場合、Ｉ値の反転値が注目数に該当する場合、指標がＡ、Ｂ、Ｃのいずれかに該当する場合、係数がＡ、Ｂ、Ｃのいずれかに該当する場合、Ｈに該当する場合、Ｌに該当する場合、Ｓに該当する場合、ポイントが特定ポイント数に該当する場合、符号が有意パタンに該当する場合、傾きが有意パタンに該当する場合、＋α及び競争値に関して有意値に該当する場合、のいずれかの場合のうちの２以上に該当するかどうかを判断する評価判定部を有する。
（１０３）前記評価判定部の判断結果を表示させる評価判定表示部を有する。
【０００９】
請求項７に記載の発明は、請求項６に記載のバイオリズム表示装置において、前記評価判定部は、Ｐ値が注目数に該当する場合、Ｓ値が注目数に該当する場合、Ｉ値が注目数に該当する場合、Ｐ値の反転値が注目数に該当する場合、Ｓ値の反転値が注目数に該当する場合、Ｉ値の反転値が注目数に該当する場合、指標がＡ、Ｂ、Ｃのいずれかに該当する場合、係数がＡ、Ｂ、Ｃのいずれかに該当する場合、Ｈに該当する場合、Ｌに該当する場合、Ｓに該当する場合、ポイントが特定ポイント数に該当する場合、符号が有意パタンに該当する場合、傾きが有意パタンに該当する場合、＋α及び競争値に関して有意値に該当する場合、のいずれかの場合のうちの３以上に該当する場合を判断するものである。
【００１０】
請求項８に記載の発明は、請求項６又は７に記載のバイオリズム表示装置において、  前記評価判定部は、さらに、Ｐ値が注目数に該当する場合、Ｓ値が注目数に該当する場合、Ｉ値が注目数に該当する場合、Ｐ値の反転値が注目数に該当する場合、Ｓ値の反転値が注目数に該当する場合、Ｉ値の反転値が注目数に該当する場合、指標がＡ、Ｂ、Ｃのいずれかに該当する場合、係数がＡ、Ｂ、Ｃのいずれかに該当する場合、Ｈに該当する場合、Ｌに該当する場合、Ｓに該当する場合、ポイントが特定ポイント数に該当する場合、符号が有意パタンに該当する場合、傾きが有意パタンに該当する場合、＋α及び競争値に関して有意値に該当する場合、のいずれからなる組み合わせパタンに応じた点数を付与するものである。
請求項９に記載の発明は、請求項７に記載のバイオリズム表示装置において、前記評価判定部は、Ｐ値が注目数に該当する場合、Ｓ値が注目数に該当する場合、Ｉ値が注目数に該当する場合、Ｐ値の反転値が注目数に該当する場合、Ｓ値の反転値が注目数に該当する場合、Ｉ値の反転値が注目数に該当する場合、指標がＡ、Ｂ、Ｃのいずれかに該当する場合、係数がＡ、Ｂ、Ｃのいずれかに該当する場合、Ｈに該当する場合、Ｌに該当する場合、Ｓに該当する場合、ポイントが特定ポイント数に該当する場合、符号が有意パタンに該当する場合、傾きが有意パタンに該当する場合、＋α及び競争値に関して有意値に該当する場合、のいずれかの場合のうち３該当する場合であっても、これを３に該当するものとしないパタンを記憶しておき、当該パタンに該当するものは２以下とみなすものである。
【００１１】
請求項１０に記載の発明はコンピューターに前記バイオリズム表示装置として機能させるためのプログラムである。なお、コンピューターにはパーソナルコンピューターやタブレットコンピューターのようにコンピューターの名称が用いられるもののみならず、スマートフォンやＣＰＵを内蔵した携帯電話、携帯情報端末装置等、実施的にコンピューターが組み込まれた機器が含まれる。
【発明の効果】
【００１２】
請求項１に記載の発明は、生年月日及び対象日の入力から、対象日がバイオリズムのＰリズム周期、Ｓリズム周期、Ｉリズム周期の何日目にあるか、及び、当該日にちの反転日を自動的に算出することができる。そして、これらの値に基づいて、対象日の評価を行うことが可能となる。
請求項２に記載の発明は、発明者が見出した集中力の目安となる指標を自動的に算出しこれを知ることが可能となる。
請求項３に記載の発明は、前記指標の程度を自動的に判定しこれを知ることができる。
請求項４に記載の発明は、発明者が見出した前記指標を強める係数を自動的に算出しこれを知ることが可能となる。
請求項５に記載の発明は、前記係数の程度を自動的に判定しこれを知ることができる。
請求項６に記載の発明は、評価判定手段により、対象日がどの程度良い日なのか又は悪い日なのかが表示され、一見して評価を知ることができる。
請求項７に記載の発明は、対象日が非常に良い日である場合が表示され、これを知ることができる。
請求項８に記載の発明は、大まかな評価に加えて点数による評価が付与されるので、より細かく対象日の評価を行うことができる。
請求項９に記載の発明は、大まかな評価について例外を可能とすることで、より柔軟な評価を行うことができる。
請求項１０に記載の発明は、コンピューターに組み込むことで、上記バイオリズム表示装置を実現することが可能となる。
【図面の簡単な説明】
【００１３】
【図１】実施形態に係るバイオリズム評価装置の機能を模式的に示す機能ブロック図である。
【図２】入力画面の例を示す図である。
【図３】結果画面の例を示す図である。
【図４】ポイントテーブルの一部を示す図である。
【図５】ポイントテーブルの他の一部を示す図である。
【図６】＋αテーブルを示す図である。
【図７】競争の集中力基準テーブルを示す図である。
【図８】星数判定テーブルを示す図である。
【図９】実施形態に係るバイオリズム評価装置の動作を示すフローチャートである。
【発明を実施するための形態】
【００１４】
以下、本発明の実施の形態について、図面を参照しながら説明する。図１に実施形態に係るバイオリズム評価装置Ｘの機能を模式的に表す機能ブロック図を示す。バイオリズム評価装置Ｘは、パソコン、タブレットコンピューター、スマートフォン、携帯電話に、バイオリズム評価装置Ｘの機能を実現するソフトウエアを組み込むことで形成される。なお、パソコンなどの汎用コンピューターを用いるほかに、専用装置として形成したり、デジタル時計などの他の機器に組み込んだりすることも可能である。
【００１５】
バイオリズム評価装置Ｘは、画面表示部１０、生年月日受付部２０、対象日受付部３０、経過日数算出部４０、Ｐ値算出部５０Ａ、Ｓ値算出部５０Ｂ、Ｉ値算出部５０Ｃ、Ｐ反転値算出部６０Ａ、Ｓ反転値算出部６０Ｂ、Ｉ反転値算出６０Ｃ、Ｐ符号判定部７０Ａ、Ｓ符号判定部７０Ｂ、Ｉ符号判定部７０Ｃ、Ｐ傾き判定部８０Ａ、Ｓ傾き判定部８０Ｂ、Ｉ傾き判定部８０Ｃ、Ｐ値評価部９０、Ｓ値評価部１００、Ｉ値評価部１１０、指標算出部１２０、指標判定部１３０、係数算出部１４０、係数判定部１５０、ポイント算出部１６０、ポイント評価部１７０、Ｈ判定部１８０、Ｌ判定部１９０、Ｓ判定部２００、符号評価部２１０、傾き評価部２２０、+α算出部２３０、競争値算出部２４０、＋α・競争値評価部２５０、評価判定部２６０、曜日型判定部２７０を有する。
【００１６】
画面表示部１０は、パソコン等のモニター画面に所定の画面を表示するよう制御する。具体的には、入力を受け付ける前には、図２に示すような生年月日入力ボックス１００１、対象日入力ボックス１００２、決定ボタン１００３が表示された入力画面１０００を表示させる。また、確定ボタン１００３が選択された後には、後述する各種の計算によって導き出される図３に示すような、結果画面２０００を表示させる。結果画面２０００には、生年月日入力ボックス１００１、対象日入力ボックス１００２、決定ボタン１００３も、入力内容とともに、そのまま表示され、その下に曜日型表示１００４、対象日を含めて２週間の日付及び曜日を表示する日付表示１００５、日付表示の各日にちごとの評価を○及び◎とで表すとともに星と数字により詳細に表示する評価表示１００６、日付表示の各日にちごとの後述するＰ値、Ｓ値、Ｉ値を表示するＰＳＩ表示１００７、各Ｐ値、Ｓ値、Ｉ値の反転値を表示する反転リズム表示１００８、日付表示の各日にちごとのプラスエリアかマイナスエリアかを表示するプラスマイナス表示１００９、日付表示の各日にちごとの傾きが上りか下りかを示すアップダウン表示１０１０、日付表示の各日にちごとのポイントを表示するポイント表示１０１１、日付表示の各日にちごとに後述する指標を表示する指標表示１０１２、日付表示の各日にちごとに後述する係数を表示する係数表示１０１３、指標表示１０１２に表示される指標のうち、後述するＡ、Ｂ、Ｃ評価に該当するものを表示する指標評価表示１０１４、係数表示１０１３に表示される係数のうち、後述するＡ、Ｂ、Ｃ評価に該当するものを表示する係数評価表示１０１５、日付表示の各日にちごとに後述する競争の集中力の有無をアスタリスクで表すとともに競争値を表示する競争の集中力表示１０１６、ＰＳＩ表示１００７又は反転リズム表示１００８に表示されるＰ値、Ｓ値、Ｉ値およびこれの反転値に対して、後述するＨ、Ｌ、Ｓのいずれかに該当するものを表示する幸運の集中力表示１０１７、日付表示の各日にちごとに後述する＋α値を表示する＋α表示１０１８が含まれる。
【００１７】
生年月日受付部２０は、図２に示す入力画面の生年月日入力ボックス１００１に入力された生年月日を決定ボタン１００３の選択があったときに受け付ける。
対象日受付部３０は、図２に示す入力画面の対象日入力ボックス１００２に入力された対象日を決定ボタン１００３の選択があったときに受け付けるとともに、当該受け付けた対象日から２週間分の日にちをそれぞれ対象日として算出する。
経過日数算出部４０は、生年月日受付部２０により受け付けられた生年月日から対象日受付部１００３が受け付け、又は、算出した各対象日までの経過日数を算出する。
曜日型判定部２７０は、生年月日受付部２０により受け付けられた生年月日の前日の曜日を算出する。
【００１８】
Ｐ値算出部５０Ａは、経過日数算出部４０が算出した対象日ごとの経過日数を２３で割った余りに１を足した値を、対象日ごとのＰ値として算出する。ただし、割り切れる場合は１をＰ値とする。
Ｓ値算出部５０Ｂは、経過日数算出部４０が算出した対象日ごとの経過日数を２８で割った余りに１を足した値を、対象日ごとのＳ値として算出する。ただし、割り切れる場合は１をＳ値とする。
Ｉ値算出部５０Ｃは、経過日数算出部４０が算出した対象日ごとの経過日数を３３で割った余りに１を足した値を、対象日ごとのＩ値として算出する。ただし、割り切れる場合は１をＩ値とする。
【００１９】
Ｐ反転値算出部６０Ａは、各対象日のＰ値ごとに、Ｐ値が１２未満の場合、Ｐ値に１２を足した値を反転値とし、Ｐ値が１３以上の場合、Ｐ値から１２を引いた値を反転値とし、Ｐ値が１２の場合２３を反転値として算出する。
Ｓ反転値算出部６０Ｂは、各対象日のＳ値ごとに、Ｓ値が１４以下の場合、Ｓ値に１４を足した値を反転値とし、Ｓ値が１５以上の場合、Ｓ値から１４を引いた値を反転値として算出する。
Ｉ反転値算出６０Ｃは、各対象日のＩ値ごとに、Ｉ値が１７未満の場合、Ｉ値に１７を足した値を反転値とし、Ｉ値が１８以上の場合、Ｉ値から１７を引いた値を反転値とし、Ｉ値が１７の場合３３を反転値として算出する。
【００２０】
Ｐ符号判定部７０Ａは、各対象日のＰ値ごとに、Ｐ値が１２以下である場合をプラスと判定し、Ｐ値が１３以上である場合をマイナスと判定する
Ｓ符号判定部７０Ｂは、各対象日のＳ値ごとに、Ｓ値が１４以下である場合をプラスと判定し、Ｓ値が１５以上である場合をマイナスと判定する。
Ｉ符号判定部７０Ｃは、各対象日のＩ値ごとに、Ｉ値が１７以下である場合をプラスと判定し、Ｉ値が１８以上である場合をマイナスと判定する。
【００２１】
Ｐ傾き判定部８０Ａは、各対象日のＰ値ごとに、Ｐ値が６以下又は１９以上の場合に傾きをＵＰと判定し、Ｐ値が７以上かつ１８以下の場合に傾きをＤＯＷＮと判定する。なお、傾きがＵＰとは接線の傾きが正であり、傾きがＤＯＷＮとは接線の傾きが負であることを意味する。また、接線の傾きがゼロの場合はここでは直前の傾きの符号に一致するものとして扱う。また、結果表示においてＤＯＷＮはＤＷと表される。
Ｓ傾き判定部８０Ｂは、各対象日のＳ値ごとに、Ｓ値が７以下又は２２以上の場合に傾きをＵＰと判定し、Ｓ値が８以上かつ２１以下の場合に傾きＤＯＷＮと判定とする。
Ｉ傾き判定部８０Ｃは、各対象日のＩ値ごとに、Ｉ値が８以下又は２６以上の場合に傾きをＵＰと判定し、Ｉ値が９以上かつ２５以下の場合に傾きをＤＯＷＮと判定する。
【００２２】
Ｐ値評価部９０は、各対象日のＰ値、又は、Ｐ値の反転値が、４、６、１６、１８のいずれかの注目数に該当するかどうかを評価する。
Ｓ値評価部１００は、各対象日のＳ値、又は、Ｓ値の反転値が７、１４、２１、２８のいずれかの注目数に該当するかどうかを評価する。
Ｉ値評価部１１０は、各対象日のＩ値、又は、Ｉ値の反転値が９、１２、１６、１７、２６、２９、３３のいずれかの注目数に該当するかどうかを評価する。
【００２３】
指標算出部１２０は、各対象日のＰ値とＩ値及びＰ値の反転値とＩ値の反転値からそれぞれの離れ値を算出し、Ｐ値、Ｐ値の反転値、これらの離れ値に基づいて指標を算出する。離れ値はサインカーブにおいて最も近いＹ軸方向が０になる日（なお０になる日が端数になる場合は端数になる日を挟んだ小さいほうの日）から何日離れているかを示すものであり、Ｙ軸方向に正の領域にある場合はプラス、負の領域にある場合はマイナスの符号を付与する。離れ値は具体的には、次のように算出する。即ち、Ｐ値に関しては、Ｐ値が５以下の場合はＰ値を、Ｐ値が６以上１８以下の場合は１２からＰ値を引いた値を、Ｐ値が１９以上の場合Ｐ値から２３を引いた値をＰ値の離れ値として算出する。Ｐ値の反転値についても、Ｐ値の反転値が５以下の場合はＰ値の反転値を、Ｐ値の反転値が６以上１８以下の場合は１２からＰ値の反転値を引いた値を、Ｐ値の反転値が１９以上の場合は、Ｐ値の反転値から２３を引いた値をＰ値の反転値の離れ値として算出する。Ｉ値については、Ｉ値が８以下の場合はＩ値を、Ｉ値が９以上２５以下の場合は１７からＩ値を引いた値を、Ｉ値が２６以上の場合はＩ値から３３を引いた値をＩ値の離れ値として算出する。Ｉ値の反転については、Ｉ値の反転値が８以下の場合はＩ値の反転値を、Ｉ値の反転値が９以上２５以下の場合は１７からＩ値の反転値を引いた値を、Ｉ値の反転値が２６以上の場合はＩ値の反転値から３３を引いた値をＩ値の反転値の離れ値として算出する。指標算出部１２０は、算出された各離れ値、Ｐ値、Ｉ値、Ｐ値の反転値、Ｉ値の反転値に基づいて次のようにして指標を算出する。即ち、Ｐ値とＰ値の反転値とのいずれか一方と、Ｉ値とＩ値の反転値とのいずれか一方とからなる４つの組み合わせ、及び、Ｐ値の離れ値とＰ値の反転値の離れ値とのいずれか一方と、Ｉ値の離れ値とＩ値の反転値の離れ値とのいずれか一方とからなる４つの組み合わせに関して和及び差の絶対値を算出する。そして、このなかから５に最も近いものを指標として算出する。指標は集中力の目安となるものである。
指標判定部１３０は、各対象日の指標算出部１２０が算出した対象日ごとの指標について、５である場合をＡと判定し、４又は６である場合をＢと判定し、７である場合をＣと判定する。
【００２４】
係数算出部１４０は、各対象日のＰ値、Ｓ値、Ｉ値の離れ値に基づいて係数を算出する。Ｐ値及びＩ値の離れ値の出し方は指標算出部１２０で説明したので省略する。Ｓ値の離れ値は、Ｓ値が７以下の場合はＳ値を、Ｓ値が８以上２１以下の場合は１４からＳ値を引いた値を、Ｓ値が２２以上の場合Ｓ値から２８を引いた値をＳ値の離れ値として算出する。そして、係数算出部１４０は各離れ値に基づき、Ｐ値の離れ値とＳ値の離れ値との差の絶対値からＩ値の離れ値の絶対値を引いた値を係数として算出する。係数は指標を強弱させる触媒の働きをするものである。
係数判定部１５０は、係数算出部１４０が算出した対象日ごとの係数について、１である場合をＡと判定し、−２である場合をＢと判定し、０である場合をＣと判定する。
【００２５】
ポイント算出部１６０は、Ｐ値、Ｓ値、Ｉ値、これらの各反転値、指標、係数、傾き、符号に関する所定の条件ごとに定められた点数を加算してポイントとして算出する。具体的には、ポイント算出部１６０には図４、５に模式的に示すポイントテーブルが記憶されている。ポイントテーブルは条件と点数とを関連付けて記憶している。ポイント算出部１６０は、Ｐ値、Ｓ値、Ｉ値、これらの各反転値、指標、係数、傾き、符号に基づいて、ポイントテーブルに示された各条件に合致するかどうかを判定していき、該当するごとに条件に関連付けられた点数を加算する。そして、すべての条件を判定した際に得られる合計値をポイント値とする。
ポイント評価部１７０は、ポイント算出部１７０が算出した対象日ごとのポイントについて、７、８、１１、１３のいずれかの特定ポイント数に該当するかどうかを評価する。また、ポイント数が１１、１３の場合をＡ、ポイント数が７、８、１０、１２、１４、１６の場合をＢ、ポイント数が９、１５、１７、１８、１９の場合をＣと判定する。
【００２６】
Ｈ判定部１８０は、対象日ごとに、Ｐ値が４又は１６で、Ｓ値又はＩ値が注目数に該当する場合に、Ｈであると判定する。
Ｌ判定部１９０は、対象日ごとに、指標判定部１３０がＡ、Ｂ、Ｃのいずれかであると判定し、ポイントが１３であり、後述する競争値と＋α値の合計が８である場合に、Ｌであると判定する。
Ｓ判定部２００は、対象日ごとに、Ｐ値が６であって、Ｐ値、Ｓ値、Ｉ値の各符号がプラス、マイナス、マイナス、かつ、Ｐ値、Ｓ値、Ｉ値の各傾きがＵＰ、ＵＰ、ＵＰである場合、及び、Ｐ値が１８であって、Ｐ値、Ｓ値、Ｉ値の各符号がマイナス、プラス、プラス、かつ、Ｐ値、Ｓ値、Ｉ値の各傾きがＤＯＷＮ、ＤＯＷＮ、ＤＯＷＮである場合にＳであると判定する。なお、Ｈ、Ｌ、Ｓはある状態にあることを示す指標名であり、ＳとＳ値とは無関係である。
【００２７】
符号評価部２１０は、対象日ごとに、Ｐ値、Ｓ値、Ｉ値の各符号がプラス、プラス、マイナスの有意パタンに該当するかどうかを評価する。
傾き評価部２２０は、対象日ごとに、Ｐ値、Ｓ値、Ｉ値の各傾きがＤＯＷＮ、ＵＰ、ＵＰの有意パタンに該当するかどうかを評価する。
【００２８】
+α算出部２３０は、Ｐ値、Ｓ値、Ｉ値、これらの各反転値、傾き、符号に関する所定の条件ごとに定められた点数を加算して＋α値として算出する。具体的には、＋α算出部１６０には図４に模式的に示す＋αテーブルが記憶されている。＋αテーブルは条件と点数とを関連付けて記憶している。＋α算出部１６０は、Ｐ値、Ｓ値、Ｉ値、これらの各反転値、傾き、符号に基づいて、＋αテーブルに示された各条件に合致するかどうかを判定していき、該当するごとに条件に関連付けられた点数を加算する。そして、すべての条件を判定した際に得られる合計値を＋α値とする。
【００２９】
競争値算出部２４０は、競争の集中力があるか否かの判断と、競争の集中力の程度を示す競争力値を算出する。競争の集中力があると判断される判断基準となる競争の集中力基準テーブルを図５に示す。競争値算出部２４０は、競争の集中力基準テーブルに示されている基準条件に１つでも合致した場合に競争の集中力があると判断する。また、競争の集中力値は、指標判定部１３０による判定がＡの場合に＋３、Ｂの場合に＋２、Ｃの場合に＋１、係数判定部１５０による判定がＡの場合に＋３、Ｂの場合に＋２、Ｃの場合に＋１、ポイント評価部１７０による判定がＡの場合に＋３、Ｂの場合に＋２、Ｃの場合に＋１として、該当するものをすべて加算したものを競争力値として算出する。
＋α・競争値評価部２５０は、＋αの値が３以上、又は、＋αと競争値との合計が８以上の、有意値にあるかどうかを評価する。
【００３０】
評価判定部２６０は、基礎評価部２６０ａと星数算出部２６０ｂを有する。基礎評価部２６０ａは、Ｐ値が注目数に該当する場合、Ｓ値が注目数に該当する場合、Ｉ値が注目数に該当する場合、Ｐ値の反転値が注目数に該当する場合、Ｓ値の反転値が注目数に該当する場合、Ｉ値の反転値が注目数に該当する場合、指標がＡ、Ｂ、Ｃのいずれかに該当する場合、係数がＡ、Ｂ、Ｃのいずれかに該当する場合、Ｈに該当する場合、Ｌに該当する場合、Ｓに該当する場合、ポイントが特定ポイント数に該当する場合、符号が有意パタンに該当する場合、傾きが特定パタンに該当する場合、＋α及び競争値に関して有意値に該当する場合、のいずれかの場合のうちの３以上に該当する場合を◎と判定し、２該当する場合を○と判定する。
【００３１】
また、星数算出部２６０ｂは、◎、○、無しの評価に加えて、これらを更に差別化するために星数を算出する。具体的には、星数算出部２６０ｂには図８に模式的に示す星数判定テーブルが記憶されている。星数判定テーブルは条件と点数とを関連付けて記憶している。星数算出部２６０ｂは、指標の判定結果、Ｉ値、＋α値、競争力値、ポイント、傾き、Ｈ、Ｌ、Ｓに基づいて、星数判定テーブルに示された各条件に合致するかどうかを判定していき、該当するごとに条件に関連付けられた点数を加算する。そして、すべての条件を判定した際に得られる合計値を星数とする。
【００３２】
次に、以上のような構成を有するバイオリズム評価装置Ｘの動作について説明する。図４にバイオリズム評価装置Ｘの動作を表すフローチャートを示す。
まず、最初に画面表示部１０がモニタに図２に示すような入力画面１０００表示させるので（ｓ１０１）、使用者はここから生年月日及び対象日を入力して決定ボタン１００３を選択する。これにより、生年月日受付部２０が入力された生年月日を受け付け（ｓ１０２）、対象日受付部３０が入力された対象日を受け付けるとともに、２週間分の対象日を算出する（ｓ１０３）。経過日数算出部４０は受け付けられた生年月日に基づいて対象日ごとに経過日数を算出し（ｓ１０４）、曜日型判定部２６０は受け付けられた生年月日に基づいて、当該生年月日の前日の曜日である曜日型を判定する（ｓ１０５）。その後、Ｐ値算出部５０Ａ、Ｓ値算出部５０Ｂ、Ｉ値算出部５０Ｃはそれぞれ対象日ごとにＰ値、Ｓ値、Ｉ値を算出し、Ｐ反転値算出部６０Ａ、Ｓ反転値算出部６０Ｂ、Ｉ反転値算出６０Ｃはそれぞれ対象日ごとにＰ値の反転値、Ｓ値の反転値、Ｉ値の反転値を算出する（ｓ１０６）。また、Ｐ符号判定部７０Ａ、Ｓ符号判定部７０Ｂ、Ｉ符号判定部７０Ｃがそれぞれ、対象日ごとにＰ値、Ｓ値、Ｉ値の符号を判定し、Ｐ傾き判定部８０Ａ、Ｓ傾き判定部８０Ｂ、Ｉ傾き判定部８０Ｃがそれぞれ、対象日ごとにＰ値、Ｓ値、Ｉ値の傾きを判定する（ｓ１０７）。さらに、指標算出部１２０が指標を算出し、係数算出部１４０が係数を算出し、ポイント算出部１６０がポイントを算出し、+α算出部２３０が＋α値を算出し、競争値算出部２４０は競争値を算出する（ｓ１０８）。そして、指標判定部１３０は対象日ごとに指標がＡ、Ｂ、Ｃのいずれかに属するか判定し、係数判定部１５０は対象日ごとに係数がＡ、Ｂ、Ｃのいずれかに属するか判定し、Ｈ判定部１８０は対象日ごとにＨに該当するかどうかを判定し、Ｌ判定部１９０は対象日ごとにＬに該当するかどうかを判定し、Ｓ判定部２００は対象日ごとにＳに該当するかどうかを判定する（ｓ１０９）。それから、Ｐ値評価部９０は対象日ごとにＰ値が注目値に該当するか評価し、Ｓ値評価部１００は対象日ごとにＳ値が注目値に該当するか評価し、Ｉ値評価部１１０は対象日ごとにＩ値が注目値に該当するか評価し、ポイント評価部１７０は対象日ごとにポイントが特定ポイント数に該当するか評価し、符号評価部２１０は対象日ごとにＰ値、Ｓ値、Ｉ値の各符号が有意パタンに該当するか評価し、傾き評価部２２０は対象日ごとにＰ値、Ｓ値、Ｉ値の各傾きが有意パタンに該当するか評価し、＋α・競争値評価部２５０は対象日ごとに＋αが３以上か＋αと競争値との合計が８以上の有意値に該当するかどうかを評価する（ｓ１１０）。
【００３３】
以上のような判断・評価に基づいて、評価判定部２６０の基礎評価部２６０ａは、Ｐ値が注目数に該当する場合、Ｓ値が注目数に該当する場合、Ｉ値が注目数に該当する場合、Ｐ値の反転値が注目数に該当する場合、Ｓ値の反転値が注目数に該当する場合、Ｉ値の反転値が注目数に該当する場合、指標がＡ、Ｂ、Ｃのいずれかに該当する場合、係数がＡ、Ｂ、Ｃのいずれかに該当する場合、Ｈに該当する場合、Ｌに該当する場合、Ｓに該当する場合、ポイントが特定ポイント数に該当する場合、符号が有意パタンに該当する場合、傾きが特定パタンに該当する場合、＋α及び競争値に関して有意値に該当する場合、のいずれかの場合にいくつ該当するかを数え、２該当する場合を○と判定し（ｓ１１１、ｓ１１３）、３以上に該当する場合を◎と判定する（ｓ１１１、ｓ１１４）。
さらに、評価判定部２６０の星数算出部２６０ｂは指標の判定結果、Ｉ値、＋α値、競争力値、ポイント、傾き、Ｈ、Ｌ、Ｓに基づいて、星数判定テーブルに示された各条件に合致するかどうかを判定していき、該当するごとに条件に関連付けられた点数を加算することで星数を算出する（ｓ１１５）。
評価判定部２６０の評価が完了したら、画面表示部１０は図３に示すような結果画面に、曜日型、対象日を表示し、さらに、対象日ごとに評価判定部による評価、星数、Ｐ値、Ｓ値、Ｉ値、各Ｐ値、Ｓ値、Ｉ値の反転値、プラスマイナス、傾きのアップダウン、ポイント、指標、係数、指標のＡ、Ｂ、Ｃ評価、係数のＡ、Ｂ、Ｃ評価、競争値、Ｈ、Ｌ、Ｓ、＋α値を表示する（ｓ１１６）。
【００３４】
以上の説明したように、本実施形態に係る発明は、バイオリズムにおけるＰリズム、Ｓリズム、Ｉリズムにおける日にちを反転させた反転日を導入することで、より詳細な日にちごとの良し悪しの評価が可能となり、バイオリズムをより有効に活用することが可能となる。
なお、上記実施形態において、評価判定部２６０の基礎評価部２６０ａは、各評価指標が３以上該当する場合をすべて◎としているが、３つ揃っても特定の組み合わせについては３つ揃ったものとは見なさない複数のパタンを予め設定しておき、当該組み合わせについては３つ揃っていても２つと見なす等の処理をしてもよい。また、逆に各指標が２つのみ該当しても特定の場合の組み合わせについては３と見なすように予め設定するようにすることもできる。
【符号の説明】
【００３５】
Ｘ  バイオリズム評価装置
１０  画面表示部
２０  生年月日受付部
３０  対象日受付部
４０  経過日数算出部
５０Ａ  Ｐ値算出部
５０Ｂ  Ｓ値算出部
５０Ｃ  Ｉ値算出部
６０Ａ  Ｐ反転値算出部
６０Ｂ  Ｓ反転値算出部
６０Ｃ  Ｉ反転値算出
７０Ａ  Ｐ符号判定部
７０Ｂ  Ｓ符号判定部
７０Ｃ  Ｉ符号判定部
８０Ａ  Ｐ傾き判定部
８０Ｂ  Ｓ傾き判定部
８０Ｃ  Ｉ傾き判定部
９０  Ｐ値評価部
１００  Ｓ値評価部
１１０  Ｉ値評価部
１２０  指標算出部
１３０  指標判定部
１４０  係数算出部
１５０  係数判定部
１６０  ポイント算出部
１７０  ポイント評価部
１８０  Ｈ判定部
１９０  Ｌ判定部
２００  Ｓ判定部
２１０  符号評価部
２２０  傾き評価部
２３０  +α算出部
２４０  競争値算出部
２５０  ＋α・競争値評価部
２６０  評価判定部
２７０  曜日型判定部
【図１】
2016122267.tif 000003
【図２】
2016122267.tif 000004
【図３】
2016122267.tif 000005
【図４】
2016122267.tif 000006
【図５】
2016122267.tif 000007
【図６】
2016122267.tif 000008
【図７】
2016122267.tif 000009
【図８】
2016122267.tif 000010
【図９】
2016122267.tif 000011